(57)【要約】【課題】  ドライバなどの工具によるロック解除の操作量を小さくできて、作業スペースを削減できるようにする。【解決手段】  空気調和機の室内機と室外機を内外機接続電線１により電気的に接続するための端子台２、端子台２を固定する端子台固定具６と、接続された内外機接続電線１が端子台２より外れないようにロックするロック機構と、ロック機構を解除する接続解除ボタン３と、押圧力を受けて接続解除ボタン３を押すことができるように端子台固定具６に設けたリブ４と、を備え、リブ４を介して接続解除ボタン３を操作するようにする。【選択図】        図１
2005180826.tif 000002
【特許請求の範囲】
【請求項１】
空気調和機の室内機と室外機を内外機接続電線により電気的に接続するための端子台と、
前記端子台を固定する端子台固定具と、
接続された内外機接続電線が前記端子台より外れないようにロックするロック機構と、
前記ロック機構を解除する接続解除ボタンと、
押圧力を受けて前記接続解除ボタンを押すことができるように前記端子台固定具に設けたリブと、
を備えることを特徴とする空気調和機の電線接続装置。
【請求項２】
前記リブを、前記端子台のロック機構部の全幅に亘る幅を有する板体から形成したことを特徴とする請求項１記載の空気調和機の電線接続装置。
【請求項３】
前記リブの両側に、リブ押圧用工具を案内するガイドを設けたことを特徴とする請求項１又は請求項２記載の空気調和機の電線接続装置。
【請求項４】
前記リブにおける前記端子台の内外機接続電線挿入部に対応する部位に、切り欠きを設けたことを特徴とする請求項１乃至請求項３のいずれかに記載の空気調和機の電線接続装置。
【請求項５】
前記リブにおけるリブ押圧用工具挿入部に、該リブと共にリブ押圧用工具を挟持可能な位置決め部材を設けたことを特徴とする請求項１乃至請求項４のいずれかに記載の空気調和機の電線接続装置。
【請求項６】
前記リブを難燃材から構成してなることを特徴とする請求項１乃至請求項５のいずれかに記載の空気調和機の電線接続装置。
【発明の詳細な説明】
【技術分野】
【０００１】
本発明は、空気調和機に係り、特にその空気調和機の室内機と室外機を電気的に接続する内外機接続電線の接続装置に関するものである。
【背景技術】
【０００２】
この種の空気調和機の電線接続装置は、空気調和機の室内機と室外機を内外機接続電線により電気的に接続するための端子台を備えており、この端子台は、接続された内外機接続電線が外れないようにロックする固定用ツメからなるロック機構と、このロック機構を解除する接続解除ボタンとを有している。
【０００３】
このようなものにおいて、保守・管理時に、内外機接続電線の接続状態を解くには、まず接続解除ボタンよりも奥に設けた凹部に工具（例えばドライバなど）の先端を挿入し、ここを支点としてドライバをコネクタ側に倒し、ドライバの外周部により直接接続解除ボタンを押し込むことによりロックを解除して、内外機接続電線を外している（例えば、特許文献１参照）。
【０００４】
【特許文献１】特開平６−１５９７２２号公報
【発明の開示】
【発明が解決しようとする課題】
【０００５】
このように、従来の空気調和機の電線接続装置では、ドライバによって接続解除ボタンを直接押して内外機接続電線の接続状態を解くため、凹部を支点としてドライバをコネクタ側に倒す必要がある。しかしながら、この接続解除ボタンを押す際のドライバの操作量、つまりドライバをコネクタ側に倒す際のドライバの揺動量は、ドライバ先端側では僅かであるが、ドライバ手元側に近づくほど大きくなる。このため、ドライバ操作のための作業スペースを端子台前面側に確保する必要があった。
【０００６】
また、ドライバ先端を引っ掛ける凹部は、既述したようにそこを揺動操作の支点とするため、接続解除ボタンより奥に配置する必要があり、そのためドライバを挿入する場所が視認しづらいという難点があった。
【０００７】
本発明の第１の技術的課題は、ドライバなどの工具によるロック解除の操作量を小さくできて、作業スペースを削減できるようにすることにある。
【０００８】
また、本発明の第２の技術的課題は、接続解除ボタンを押すための工具を挿入する場所が、容易に視認できるようにすることにある。
【課題を解決するための手段】
【０００９】
本発明に係る空気調和機の電線接続装置は、空気調和機の室内機と室外機を内外機接続電線により電気的に接続するための端子台と、端子台を固定する端子台固定具と、接続された内外機接続電線が端子台より外れないようにロックするロック機構と、ロック機構を解除する接続解除ボタンと、押圧力を受けて接続解除ボタンを押すことができるように端子台固定具に設けたリブと、を備えるものである。
【発明の効果】
【００１０】
本発明に係る空気調和機の電線接続装置においては、リブを介して接続解除ボタンを操作するので、接続解除ボタンを操作するドライバなどの工具が接続解除ボタンの位置に拘束されることがなく、リブを押圧できればよいため、ドライバを倒すことなく、挿入することで接続解除ボタンを押すことができる。このため、従来の揺動方式のものに比しドライバ操作のための作業スペースを削減することができる。
【発明を実施するための最良の形態】
【００１１】
以下、図示実施形態により本発明を説明する。
図１乃至図３はいずれも本発明の請求項１〜６に係る空気調和機の電線接続装置を示すもので、図１は本実施形態に係る空気調和機の電線接続装置の接続解除ボタン操作を示す斜視図、図２はその側面断面図、図３はその内外機接続電線と位置決め部材を取り外した状態を示す斜視図である。
【００１２】
本実施形態の空気調和機の電線接続装置は、図示しない空気調和機の室内機と室外機が内外機接続電線１により端子台２を介して電気的に接続される。端子台２は、接続された内外機接続電線１が外れないようにロックする固定用ツメからなるロック機構（図示せず）と、このロック機構を解除する接続解除ボタン３とを有し、端子台固定具６に固定されている。また端子台固定具６には、ドライバ５などのリブ押圧用工具の挿入圧力を受けて接続解除ボタン３を押すことができるリブ４と、リブ４と共にドライバ５を挟持可能な位置決め部材すなわち位置決め用板金７が取り付けられている。
【００１３】
これを更に詳述すると、リブ４は、端子台２のロック機構部の全幅に亘る幅を有する難燃性の板体からなり、ドライバ５を挿入する側と反対の側で、端子台固定具６に接続固定され、端子台固定具６との接続部８を支点として動くことが可能で、かつその可動部の中央で端子台２の接続解除ボタン３に触れることが可能となるように配置されている。さらに、リブ４における反接続解除ボタン側の両側には、ドライバ５を案内するガイド９が折曲形成されており、ガイド９によって、ドライバ５の挿入時に、ドライバ５がリブ４の外側へ外れるのを防止している。これにより、ドライバ５が、リブ４とその反接続解除ボタン側に対向配置してある位置決め用板金７との間に確実に挿入されるようになっている。更にまた、リブ４における端子台２の内外機接続電線１挿入部に対応する部位、換言すればリブ４の先端エッジにおける端子台２側に、切り欠き１０を設け、内外機接続電線１を端子台２に挿入するための目印としている。すなわち、リブ４は、端子台２の内外機接続電線１挿入部付近まで張り出しており、端子台２の内外機接続電線１挿入部が見えにくくなる。したがって、リブ４の内外機接続電線１の挿入部に目印となる切り欠き１０を設けることで、内外機接続電線１の挿入位置が明確となり、容易に内外機接続電線１を挿入することができる。
【００１４】
位置決め用板金７は、図２のようにリブ４との隙間が接続部８に向かって狭くなるように、つまり奥が狭まる楔状空間が形成されるように設定されていて、位置決め用板金７によりドライバ５をリブ４との間に固定することができるとともに、その状態からドライバ５を単に押し進めていくだけで、リブ４により端子台２の接続解除ボタン３を押すことができるので、作業時が向上する。
【００１５】
このように、本実施形態の空気調和機の電線接続装置においては、リブ４を介して接続解除ボタン３を操作するので、接続解除ボタン３を操作するドライバ５などのリブ押圧用工具が接続解除ボタン３の位置に拘束されることがなく、挿入するだけで、内外機接続電線１の拘束を容易に解くことができる。この結果、従来の揺動方式のようなドライバ５を倒すスペースは不要となり、設計的自由度が拡大する。なお、リブ４と位置決め用板金７との間のドライバ５の挿入部は、奥が狭まる楔状空間に形成されているため、例え従来のようにドライバ５を倒すことで接続解除ボタン３を押し操作する場合でも、リブ４が端子台固定具６との接続部８を支点として動くことになり、接続解除ボタン３を押すことができ、結果的に内外機接続電線１を容易に外すことができる。この結果、ドライバ５の揺動量が僅かで済み、従来のようなドライバ操作のための広い作業スペースを端子台前面側に確保する必要はなくなり、ドライバ操作のための作業スペースを圧縮することができる。
【００１６】
また、このリブ４により、ドライバ５を挿入する部分（位置）を明確に視認でき、ドライバ５を挿入し易い構造が得られる。
【００１７】
また、リブ４を端子台２のロック機構部の全幅に亘る幅を有する板体から形成しているので、端子台２の接続解除ボタン３の幅が広い場合にも、そのまま適用できる。すなわち、汎用性を持たせることができる。
【００１８】
また、リブ４における反接続解除ボタン側の両側に、ドライバ５を案内するガイド９が形成しているので、ドライバ５の挿入時に、ドライバ５がリブ４の外側へ外れるのを防止することができ、かつドライバ５をリブ４と位置決め用板金７との間に確実に挿入することができる。
【００１９】
また、リブ４における端子台２の内外機接続電線１挿入部に対応する部位、すなわちリブ４の先端エッジにおける端子台２側に、切り欠き１０を設け、内外機接続電線１を端子台２に挿入するための目印としているので、内外機接続電線１の挿入位置が明確となり、容易に内外機接続電線１を挿入することができる。
【００２０】
また、リブ４を難燃性の板体から形成しているので、接続部からの発火に対して、延焼を防ぐことができる。
【図面の簡単な説明】
【００２１】
【図１】本発明の一実施形態に係る空気調和機の電線接続装置の接続解除ボタン操作を示す斜視図である。
【図２】本実施形態に係る空気調和機の電線接続装置の側面断面図である。
【図３】本実施形態に係る空気調和機の電線接続装置の内外機接続電線と位置決め部材を取り外した状態を示す斜視図である。
【符号の説明】
【００２２】
１  内外機接続電線、２  端子台、３  接続解除ボタン、４  リブ、５  ドライバ（リブ押圧用工具）、６  端子台固定具、７  位置決め用板金（位置決め部材）、９  ガイド、１０  切り欠き。
【図１】
2005180826.tif 000003
【図２】
2005180826.tif 000004
【図３】
2005180826.tif 000005